(57)【特許請求の範囲】
【請求項１】
マトリックスの端部を挿入するための長孔を備えたピンと、長孔を備え内部でピンを保持するケーシングとを有するテンションマトリックスと、前記ピンに取り付け可能で且つ前記ピンを回転させることにより、前記ピンを中心にマトリックスを巻き上げることが可能な締付け装置からなる歯学に於いて使用されるテンションマトリックスと締付け装置のユニットであり、テンションマトリックス（１）と締付け装置（２）には、相互を可逆可能に一体化可能な取り付け手段（３，４，５）が備えられ、前記取り付け手段が、テンションマトリックス（１）のケーシング（６）の外周面の対向する２面の夫々に設けられた１つ以上の溝部（３）と対応する平坦面（6a）と、前記溝部（３）の内少なくとも１つと可逆可能に、且つテンションマトリックス（１）のケーシング（６）の前記対応する平坦面（6a）と係合可能な締付け装置（２）の一対の突状体（４，５）とからなることを特徴とするユニット。
【請求項２】
テンションマトリックス（１）のケーシング（６）が矩形状部を有し、且つ前記溝部（３）がその両端部の何方か一方の近傍に設けられ、テンションマトリックス（１）のピン（７）は第一歯状部（7c）を有した一端部により、ケーシング（６）から突出し、締付け装置（２）には、テンションマトリックス（１）の前記第一歯状部（7c）と接続可能な第二歯状部（８）が備えられ、且つこの第二歯状部（８）は締付け装置（２）の１つ以上の部材が移動することにより回転するように構成され、締付け装置（２）は、それを前記一対の突状体（４，５）に取り付けるための手段を有し、この手段により前記溝部（３）とテンションマトリックス（１）のケーシング（６）の対応する面（6a）と、前記突状体（４，５）を係合又はそれらから離脱させるべく、少なくとも一方の突状体（５）をそれらの動きによって移動可能としている請求項１に記載のユニット。
【請求項３】
ハンドル（16）は延設部（17）を一体的に備え、この延設部のハンドルの近傍には円形の孔（18）が穿設され、鉤状の形状を有した突状体（４）が平坦部（4a）からなり、前記歯状体（８）が相互が一体に且つ同軸状に設けられた歯付き冠（8b）と円錐状の歯車（8a）から形成され、これらは回転可能なように前記延設部（17）の端部に取り付けられており、軸（10）は、その両端部を前記延設部（17）の末端と前記ハンドル（16）の一点の夫々に設けられた２つの支持部（19，20）により回転自在に且つ前記延設部（17）に平行に支持され、軸（10）は一端部に前記円錐状の歯車（8a）に噛合可能な円錐状の歯付きピニオン（９）を設け、他端部近傍には軸（10）の軸方向に対して平行な少なくとも１つの縦溝を有する溝部（21）を設けており、ハンドル（16）により支持された前記軸の端部近傍にラチェット（12）が設けられ、ラチェット（12）は軸（10）の前記溝部（21）に摺動するように噛合可能な突状部（22）を内部に設けた孔を介して軸（10）に対して同軸方向に摺動可能であり、ラチェット（12）の外周面にはドーナツ状のネック部（23）が備えられており、ラチェット（12）とハンドル（16）間には圧縮バネ（24）が設けられ、前記延設部（17）の末端に取り付けられた鉤状に形成された第一突状体（４）は、その平坦面（4a）をテンションマトリックス（１）のケーシング（６）の対応する面（6a）に当接することにより支持可能となるような形状を有し、第二突状体（５）はテンションマトリックス（１）の前記溝部（３）に係合可能な形状からなる端部（5a）を有し、且つ事前に設定された延設部（17）に対して平行な経路を摺動可能なようにハンドル（16）の延設部（17）上に取り付けられ、さらにハンドル（16）近傍の端部には対応する長孔（5b）が穿設されており、ウィンチ（14）が２つの連接棒（11，13）を有し、第一連接棒（11）はラチェット（12）の前記ドーナツ状のネック部（23）に侵入して係合し、第二連接棒（13）は、ハンドル（16）の延設部（17）に穿設された円形の孔（18）を挿通した後、第二突状体（５）の前記長孔（5b）に係合し、且つ第二連接棒（13）の直径は、第二連接棒（13）の大径部（13a）により閉塞される円形の孔（18）より小径であり、これにより第二連接棒（13）は孔（18）に対して偏芯して設けられることになり、テンションマトリックス（１）の内部では、締付け装置（２）の前記歯付き冠（8b）に噛合可能な歯車（7c）がピン（７）の一端部に設けられている請求項２に記載のユニット。
【請求項４】
前記ケーシング（６）の面の内少なくとも外壁にはマトリックスの挿入のための切欠（6b）が設けられ、テンションマトリックスがあてがわれる歯の形状に実質的に合うような凹状部（6c）が形成されている請求項２又は３に記載のユニット。
【請求項５】
テンシヨンマトリックスのピン（７）には少なくとも１つの円錐部（7a）が形成され、その円錐線はその上に設けられた前記第一歯状部（7c）の方向に集中している請求項２から４の何れかに記載のユニット。
【請求項６】
マトリックスの端部を挿入するための長孔を備えたピンと、長孔を備え内部でピンを保持するケーシングとを有するテンションマトリックスと、前記ピンに取り付け可能で且つ前記ピンを回転させることにより、前記ピンを中心にマトリックスを巻き上げることが可能な締付け装置からなる歯学に於いて使用されるテンションマトリックスと締付け装置のユニットであり、テンションマトリックス（１）と締付け装置（２）には、相互を可逆可能に一体化可能な取り付け手段（３，４，５）が備えられ、前記取り付け手段が、テンションマトリックスのケーシング（41）に取り付けられた部材（41a）の外周面に形成された成形溝（40）と、２端部の夫々には、事前に設定した範囲まで屈曲した際に前記溝部（40）に一体的に且つ可逆可能に接続可能な突状部（39a，39b）が形成されている可撓性を有するフォーク状部（39）であるユニット（102，第９図）。
【請求項７】
テンションマトリックス（101）のケーシング（41）に取り付けられた前記部材が、テンションマトリックスのケーシング（41）の一部分に同軸状に取り付けられたリング体（41a）であり、一方ケーシング（41）は相互に対面する実質的に左右対象な部材（41f，41g）からなり、これら部材は末端に突状部（41d，41e）が形成され、前記部材の突状部（41d，41e）の両方により、リング体（41a）に強制的に接続されることにより同軸状に保持されるケーシング（41）の前記一部を形成する請求項６に記載のユニット。
【請求項８】
フォーク状部（39）は、リング体（41a）に一体的に接続されるように屈曲し、且つその内部に貼着された２面（39c，39d）によりフォーク状部（39）内に保持されることが可能な形状と大きさを有する空洞部（43）内に挿入され、一方この空洞部（43）内への挿入は、締付け装置（38）に取り付けられた手段（42）によりフォーク状部（39）に対して索引力を働かせることにより行う請求項７に記載のユニット。
【請求項９】
フォーク状部（39）に対して前記索引力を働かせる締付け装置の前記手段が、小型の中空状のフレキシブルケーブル（42）であり、その両端部の夫々がフォーク状部（39）と、締付け装置（38）に取り付けられた第一作動体（53）とに取り付けられている請求項８に記載のユニット。
【請求項１０】
フレキシブルワイヤー（45）が前記中空状のフレキシブルケーブル（42）内に同軸状に取り付けられ、且つその一端部（45a）が第二作動体（46）に、又他端部（45b）が中間部（39m）に対応する前記フォーク状部の内部に事前に決められた範囲まで突出し、さらにテンションマトリックス（101）と締付け装置（38）が相互に一体的に取り付けられるとき、テンションマトリックス（101）のピン（44）に当接するよう屈曲する請求項９に記載のユニット。
【請求項１１】
テンシヨンマトリックス（101）のケーシング（41）の前記左右対象の２つの部材（41f，41g）は、夫々が相互に対して回転可能なように縦線（Ｈ-Ｈ）に沿って組み合わされる請求項１０に記載のユニット。
【請求項１２】
ケーシング（41）の前記２つの部材（41f，41g）は一個の部品を構成し、これら部材は可撓性の材質から作られ、相互に前記縦線（Ｈ-Ｈ）に沿って組み合わされ、その線を中心にそれらが作られた材料の有する可撓性により回転可能である請求項１１に記載のユニット。
【請求項１３】
締付け装置（38）が、締付け装置（38）の縦軸に対して傾斜し、且つその内部でフォーク状部（39）を保持可能な空洞部（43）を有している末端の長形状部（47）と、その両端部の内の一方をフォーク状部（39）の中間部（39m）に一体に、又他端部を締付け装置（38）の第一作動体（53）に一体にして前記長形状部（47）内に同軸状に設けられた中空状のフレキシブルケーブル（42）と、前記中空ケーブル（42）内に同軸状に設けられ、且つテンションマトリックス（101）が締付け装置と一体で、且つ一端部（45a）が締付け装置（38）の第二作動体（46）に一体であるとき、このテンションマトリックスのケーシング（41）に回転自在に取り付けられるピン（44）に当接する他端部（45b）を有しているフレキシブルワイヤー（45）とからなり、締付け装置（38）は前記長形状部（47）に一体なハンドル（49）と、前記中空状のフレキシブルワイヤー（42）に回転時及び摺動時に一体である回転ラチェット（53）からなる第一作動体と、前記フレキシブルワイヤー（45）をその一体になったものに対して摺動自在にすべくハンドル（49）に対して摺動自在である第二作動体とを有している請求項６又は１２に記載のユニット。
【発明の詳細な説明】
本発明は歯学に於ける歯の復元に使用されるマトリックスの取付け及び締め付けるための装置の分野に関する。
これまでのところ、このような装置で一番進んだものとしては、ケーシングに取り付けられた回転ピンの回転により、前記ケーシングの内部でマトリックスを引っ張り、緊張状態に保持するように構成されたテンションマトリックスと、テンションマトリックスにより、歯の周囲にマトリックスを既に取り付けている状態で、前記マトリックスを締め付け、歯の外壁に付着させながら前記ピンを回転可能にした前記ピンに取付け可能な締付け装置を有するものがある。
このように構成された装置には、例えば米国特許番号第4,396,374号に記載されたものがある。
この形式からなる装置の使用に於いては、その取扱いが困難である点が欠点となる。例えば、実際の使用に於いては、先ず口腔内の所定位置に手で保持しながら、テンションマトリックスと緊張状態に置かれていないマトリックスとをあてがい、さらにマトリックスが緊張状態に置かれるまで手で保持しながら、テンションマトリックスを取付けることで締付け装置を口腔内に挿入する必要がある。この作業の全てが実用的には大きな問題であり、患者にとっても不快感が長時間続くことを意味している。
本件発明の発明者は、締付け装置にマトリックスを一体に設け、そのマトリックスを移動するための締付け装置を挿入し、且つ作動させるだけで、マトリックスを正確な位置にあてがい、保持し、締結することを可能とすべく、一体化することが可能なテンションマトリックスと締め金具の両方を有するユニットを提供することによりこの欠点をなくすことを試みた。
よって、本件発明の目的は、マトリックスの端部を挿入するための長孔を備えたピンと、長孔を備え内部でピンを保持するケーシングからなるテンションマトリックスと、前記テンションマトリックスと可逆可能に一体化するための取付け手段を設けることにより、前記ピンを取り付け可能で且つ回転可能にする締付け装置からなる歯科に於いて使用されるユニットを提供することにある。
好ましき実施態様に従うユニットとしての本件発明の詳細な機能の説明を、添付した図面とともに次に説明する。
図１は本件発明のユニットに於けるテンションマトリックスの実施態様の拡大透視図を示す。
図２は、その断面図。
図３は、前記テンションマトリックスのピンのみの拡大側面図であり、その一端部に設けられた歯車体の歯は省略している。
図４は、前記歯車体の好ましき実施態様の上から見た拡大図。
図５は、テンションマトリックスに連結された状態の締付け装置の実施態様の縦断面図である。
図６は、図５の締付け装置にテンションマトリックスを閉塞している状態で、２個のウィンチを有する小型の連接棒の位置を推測することが可能な詳細図である。
図７は、テンションマトリックスと一体化させることにより、本件発明のユニットを構成した締付け装置の縦断面図。
図８は、図７に図示した状態での前記連接棒の位置を示した詳細図である。
図９は、締付け装置とテンションマトリックスが一体に構成された状態での、本件発明のユニットの他の好ましき実施態様の縦断面図。
図１０は、図９の実施態様のテンションマトリックスと締付け装置との接続部の拡大図。
図１１は、本件発明のユニットに使用可能な特定のテンションマトリックスの他の実施態様の縦断面に沿った分解図。
図１２は、図１１のテンションマトリックスを下方向から見た図である。
図１３は、同じテンションマトリックスの側面図。
図１及び図２を検討するとき、１つの実施態様でのテンションマトリックス１のケーシング６が、マトリックスの挿入のための長孔6bを有するその外壁に、治療する歯の形状に実質的に合うように形成された凹状部6cをいかに設けているか注意すべきである。
この凹状部は、本実施態様では弾性力を有する材質のもので形成されているケーシング６とにより、あらゆる形状の歯に対し可能な限り良好にテンションマトリックス１を付着させることを可能とする。
ピン７は硬質の材料からなりケーシング６内に僅かに押し込まれるため、必要時にこれら２つの部材間での必要な付着力が確保されることとなる。
図１、図２及び図３に於いては、テンションマトリックス１のピン７が如何に歯車7cを移動させるか、又ピン７に、それ自体を支持する端部に向かって延設された円錐部7aが如何に形成されているかが図示されている。
このような特徴は、ピン７を一定角度回転することにより、マトリックスが前記歯車7cに近い側から前記円錐の底部近傍の他の側への索引力の増加を被ることを意味する。
テンションマトリックス１は、歯冠に対して回転する前記歯車7cとともにあてがわれるため、歯の周方向の成長が赤道部より少ない頸部に対応してマトリックスは、より大きな索引力を被り、且つ歯の全面へより正確に付着されることとなる。
図１から明らかなように、テンションマトリックスのケーシング６は矩形状であり、一対の相互に対面する平行な平坦面を有する。
これら面のうち少なくとも一方（図示された好ましき実施態様では対面する２面）には、２つの溝部３が形成されることにより、締付け装置の適切な形状を有する２つの突状体４、５が一方の面の溝部３と、他の面6aの基準面として機能する平坦な面に対して夫々係合することによりテンションマトリックス１を把持することが可能となる。
これは、図５〜８に記載の締付け装置２の一対の部材４、５により可能となり、一方の部材４は鉤形状で、ケーシング６の面6aの前記基準面上に支持可能とされる平坦部4aを有しており、又他の突状体５は薄板状であり、対向する面に形成された前記溝部３に係合可能とすべく末端部5aに向かって適切な形状を有する。これら部材４、５は前述したように一旦係合すると、ペンチとしての機能を果たし、又口腔にあてがった際、又はマトリックスが巻き上げられ且つ締め付けられた際に、締付け装置２にテンションマトリックス１を一体化させることとなる。
マトリックスの位置及び形状は、図面で示すことで当業者にとり僅かでも問題提起するようなことは考えられないため省略した。
突状体４、５のうち、第一部材４は、鉤状に形成され、且つ一端部には締付け装置２のハンドル16の延設部17を備えている。又、第二突状体５は、その末端部に事前に設定した前記延設部に対して平行な摺動経路上を移動可能なように前記延設部17の下方に取り付けられた板状体５を備えている。
前記突状体５も又、ウィンチ14の移動のための長方形の孔を有しており、その機能は次に説明される。
この実施態様に於いて、第二突状体５は、ハンドル16の前記延設部17に取り付けられた２個の締結ネジ32、33が挿通する２つの長方形の切欠30、31を有しており、これら締結ネジ32、33は前記長方形の切欠により、ハンドル16の延設部17に対しての摺動経路上を移動する間に、第二部材５を支持可能とすべく長方形の切欠30，31の幅より大径のスペーサー36，37とワッシャー34，35が取り付けられた大径の頭部を備えている。
前述した摺動動作は、両端部に２個の連接棒11，13を備えた前記ウィンチ14を回転させることにより前記第二突状体５に伝達される。
一方の連接棒13は、第二突状体５に穿設された孔18にスラブ13aとともに挿通されている。尚、孔18は第二突状体に対して偏芯して設けられているため、連接棒14と一体のその回転は前述した摺動動作（図６、８）に変換される。
ウィンチ14の他端部に取り付けられた他方の連接棒11はその全長の内、十分な長さをハンドル16の延設部17の軸に対して平行な、即ち装置２の軸に対して平行な同軸シャフト10に沿って摺動可能なラチェット12に設けられたドーナツ状の溝部23内に係入される。
ラチェット12の摺動によりウィンチ14が回転し、更に連接棒13を介して突状体５が最終的に移動することになる。
突状体５の摺動動作は、ラチェット12の移動との関係において平行であり、結果的に事前に設定した範囲まで減少することとなる。
このラチェットはその軸に沿って、軸10の一部に形成した溝部21に摺動自在に接続された突状部22を備えた摺動保持部が形成され、且つラチェット12は、前述したように軸10に沿ってハンドル16の延設部17と同軸状に且つ平行に移動し、又その両端部の夫々は、延設部17の末端に設けられた支持部19とハンドル16の一部に設けられた支持部20により回転自在に支持されている。
ハンドル16とラチェット12との間には、ラチェット12の中に設けられたケーシング25に収納された圧縮バネ24が、軸10と同軸状に挿入されている。
この点において、先ず操作者が、ハンドル16を把持した同じ手により、軸10にラチェット12をその軸と同軸状に摺動させることで、前述したように第二突状体５を摺動させ、且つ同時にそれ自体の軸を中心に回転させることにより、ラチェット12に取り付けられた軸10を回転させることが可能であることは明らかである。
前記バネ24はその際にラチェット12を元の位置に戻す働きをする。
前記軸10の末端には、支持部19の他に円錐状のピニオン９が取り付けられている。
ハンドル16の延設部17の端部にはこれに対応するように、相互が一体に且つ同軸状に設けられた円錐状の歯車8aと歯付き冠8bから構成された部材８が、同じように回転自在に取り付けられている。
円錐状の歯車8aは軸10のピニオン９に螺合しており、又歯付き冠8bは、前述したテンションマトリックス１のピン７の歯車7cに噛合可能なような大きさを有している。
したがって、本件発明に基づくユニットでは、締付け装置２を把持した手のみでラチェット12を操作することにより、次の操作が可能となる。
軸10に第二突状体を”螺合”させることにより、テンションマトリックス１を挿入可能とすべく第二突状体５を移動すること；テンションマトリックス１と締付け装置２を相互に一体化させるべく第一固定突状体４の平坦部4aに対してテンションマトリックス１を押圧させ、且つテンションマトリックス１のケーシング６の溝部３に第二突状体５を係合させるべくバネ24を介して第二突状体５を元の位置に戻すこと、
復元すべき歯にテンションマトリックス１（関連するマトリックスを事前に取り付けている）をあてがうこと、
マトリックスを締め付けることにより、テンションマトリックス１のピン７を回転させること、
締付け装置の突状体５の端部5aを（テンションマトリックス１から）取り外すべく第二突状体５を再度後退させ、患者の口腔から装置を取り除くこと。
これらの操作が実用的であり且つ有効であることは明らかであり、これにより前述したように患者の不快感を最小限に抑制することになる。
これまでに説明した好ましき実施態様での更に注目すべき点としては、テンションマトリックスのピン７の歯つき部材7cが歯車であるため、アタッチメントの信頼性に対する偏見なしに、現在で必要と考えられるものよりもかなり小型のものでもよく、それによりテンションマトリックス１を妨げることが殆どなくなり、隣接する複数の歯に対してあらゆるテンションマトリックスを同時にあてがうことが可能にしたということである。
本件発明の発明者は、さらに発明に係るユニットに於ける操作性、特にテンションマトリックスとそれに取り付けられたマトリックスを締付け装置又は復元が終わった歯から取り外す際の操作性をさらに高めるために次の装置を作り上げた。
これまでのところで説明されたユニットは、実際にはマトリックスを巻き上げ且つ締め付けるためにテンションマトリックスのピンを回転させ、又治療後の歯からそれを取り外すべく反対方向に回転させることにより、マトリックスを緩めることが可能な締付け装置を有していることは認識されている。しかし、両方向に回転させることは、ある場合、特に最後の取外しの際には、一般的に、非弾性で変形する金属の材質からなるマトリックスが前記ピンを中心にして巻き上げられるため、ある程度の困難さを伴うことがあった。
この欠点は、前述したようなテンションマトリックスのピンを二度回転させることなしにマトリックスを解放し、且つそれをあてがった歯から取り外すために、テンションマトリックスからの締付け装置のスムーズで且つ迅速な離脱を可能とする違ったデザインからなる次に記載のユニットを考案することによって到達出来た。
図９及び図１０に於いて、その両端部の夫々が突状部39a，39bとして形成され、且つ屈曲した際に、テンションマトリックス101のケーシング41に取り付けられた部材41に形成された成形溝40に可逆可能に係合する可撓性を有するフォーク状部39を介して締付け装置38とテンションマトリックス101を一体化させる連結状態が図示されている。
図面に記載のこの実施態様に於いては、小型の中空状のフレキシブルケーブル42を介して、フォーク状部39に対して索引力を働かせることにより、フォーク状部39は屈曲可能となり、これにより締付け装置38の部材47の空洞部43の内方向にそのフォーク状部39が挿入されることになる。この状態で、フォーク状部39の内壁に付着して設けられた２面39c，39dによりこのフォーク状部39が保持可能となる。
この小型の中空状のフレキシブルケーブル42の両端部は、フォーク状部39の中間部39mと、締付け装置38に取り付けられた作動体53の夫々に取り付けられる。締付け装置38については次に詳細に説明される。
テンションマトリックス101のケーシング41に取り付けられた部材はこの実施態様においてはリング体41aからなり、これによりフォーク状部39が接続される。又、実質的に左右対称に形成された相互に対面するテンションマトリックス101のケーシング41の部材41f，41gの夫々には、同様に左右対称に形成された２個の突状部41d，41eが設けられ、これら突状部はリング体41aにより僅かな力で嵌合されている。
これら２個の部材41f，41g（図１３）は、それらが作られた材料を介して縦線H-Hに沿って組み合わされる。この材料は可撓性及び弾性を十分な程度有するものから選択される。部材41f，41gはケーシング41を形成するため、又それらの中にピン44を収納するために、相互に対面させるよう、又はそれらを離間させることにより、ピン44と最終的にそれに取り付けられるマトリックスが解除されるよう、相互に回転自在に構成されている。
明らかなように、この回転は、それらの接合点の領域を通過するH-H線を中心に正確に行われる。
よって、前述したようにフォーク状部39は前記リング体41aの成形溝40に一体的に取り付けられることになり、これにより締付け装置38にテンションマトリックス101が一体化することになる。
中空状のフレキシブルケーブル42に一体的にピン44を回転させるために、ケーブル42に取り付けられた本体48は、ピン44の”頭部”に位置する空洞部44aが回転時に一体的に係合するような形状を有している。
中空状のフレキシブルケーブル42内に同軸状に設けられ、一端部45bがピン44の上面に位置し、且つ他端部45aが作動体46に取り付けられた小型のフレキシブルワイヤー45を介して、ピン44に力を働かせると、ピン44を軸方向に摺動することが可能となり、それによりテンションマトリックス101の前記部材41f，41gとともにリング体41aからピン44が離脱することになる。その際にテンションマトリックス101の部材41f，41gは、例えばそれらが作られた材料が有するある程度限られた弾力性による保持状態から解除されることにより半開きの状態になり、ピン44とそれに取り付けられたマトリックスが係合状態から解除され、処置された歯からスムーズに取り外されることになる。
前述した作業を行うことを可能とする締付け装置38は以下のものからなる。
締付け装置38の縦軸に対して傾斜し、且つ前記フォーク状部39を内部で保持することが可能な空洞部43を有している長形状の末端部47と、
長形状部47内に同軸状に設けられ、前述したように前記フォーク状部39の中間部39mと、締付け装置38の第一作動体53の夫々に両端部が取り付けられた小型の中空状のフレキシブルケーブル42と、
前記中空ケーブル42内に同軸状に設けられ、且つテンションマトリックスが締付け装置と一体になっているときに、一端部がこのテンションマトリックス101のケーシング41に回転自在に取り付けられているピン44上に載置され、又他端部45aは締付け装置38の第二作動体46と一体になっているフレキシブルワイヤー45。
締付け装置38は前記長形状部47と一体になったハンドル49と、回転時及び摺動時に於いて、中空状のフレキシブルケーブル45と一体となる回転ラチェット53と、フレキシブルワイヤー45をその一体となったものに対して摺動させるべくハンドル49に対して摺動可能な第二作動体46とからなる。
前述したような摺動動作が完了した後に、戻しバネ51，52は元の位置に戻ることになる。
図11，12，及び13に於いて、テンションマトリックスはユニット内で使用可能な例が示されており、マトリックスを挿通させることができるように、テンションマトリックスのケーシング41を歯に対して間隔を置く働きがある複数（これらの図では４個）の柄部41kを備えている。
テンションマトリックスの材料は、一般に入手可能な多様な材質及び合成樹脂の中から選択可能であり、テンションマトリックス自体を容易に滅菌させることが可能となるよう120℃以上の温度に耐え得るものが特に好ましい。
実際に使用する際に要求されるあらゆることに対して、当業者が実現可能な締付け装置、又はテンションマトリックスの何れかについてのその他の実施態様は、添付の請求項により与えられる保護の範囲を越えることなしに可能である。これまでに説明及び図示した例は、本件発明のユニットの好ましき実施態様として見なされ、特にあらゆる部材の形状、相対的な位置、大きさを束縛し制限するものではない。
【図１】
0003820267.tif 000002
【図２】
0003820267.tif 000003
【図３】
0003820267.tif 000004
【図４】
0003820267.tif 000005
【図５】
0003820267.tif 000006
【図６】
0003820267.tif 000007
【図７】
0003820267.tif 000008
【図８】
0003820267.tif 000009
【図９】
0003820267.tif 000010
【図１０】
0003820267.tif 000011
【図１１】
0003820267.tif 000012
【図１２】
0003820267.tif 000013
【図１３】
0003820267.tif 000014